(57)【特許請求の範囲】
【請求項１】
枚葉紙印刷機の給紙テーブル上で枚葉紙を位置調節するための装置であって、旋回可能に配置された複数の前当てと、旋回可能に配置された複数の上当てとを備えており、前記上当ての所定のサイクルで行われる運動のための第１の制御装置と、これとは独立して、前記前当ての所定のサイクルで行われる運動のための第２の制御装置とが設けられており、複数の上当てが１つの共通の上当て軸に配置されている形式のものにおいて、
カム制御装置（１５，１６，１７，１８，１９，２１）として形成された前記第１の制御装置によって旋回可能な上当て（６）が鉛直方向運動可能に配置されていて、該上当て（６）は上当て軸（９）とともに、フレームに固定的に配置された偏心調節装置（１４）が係合する別のカム制御装置（１１，１２，１３）によって、所定のサイクルで高さ調節可能であることを特徴とする、枚葉紙印刷機の給紙テーブル上で枚葉紙を位置調節するための装置。
【請求項２】
偏心調節装置（１４）が、ローラレバー（１１）の旋回軸（２４）に係合しており、上当て軸（９）がローラレバー（１１）の端部に旋回可能に支承されている、請求項１記載の装置。
【請求項３】
フレームに固定的に配置されたエネルギ蓄え装置が、圧縮ばね（２８，２９）の形で配置されていて、該圧縮ばね（２８，２９）は、制御ローラ（１２，１９）が、回転可能な制御カム（１３，２１）と常に作用接触し続けるように設けられている、請求項１または２記載の装置。
【請求項４】
それぞれの前当て（３）に１つの上当て（６）が配属されている、請求項１から３までのいずれか１項記載の装置。
【請求項５】
前当て軸（７）が給紙テーブル（２）の下方に近傍で配置されている、請求項１から４までのいずれか１項記載の装置。
【請求項６】
上当て（６）が前当て（３）よりも幅広に形成されている、請求項１から５までのいずれか１項記載の装置。
【発明の詳細な説明】
【０００１】
【発明の属する技術分野】
本発明は、枚葉紙印刷機の給紙テーブル上で枚葉紙を位置調節するための装置であって、旋回可能に配置された少なくとも１つの上当てと、旋回可能に配置された少なくとも１つの前当てとを備えた形式のものに関する。
【０００２】
【従来の技術】
ドイツ連邦共和国特許出願公開第３２１５８０４号明細書からは、旋回可能な前当てを設けることが公知である。この前当てのホルダは、所定のサイクルで振動しながら駆動される前当て軸に固定されている。前当てホルダには上当てが旋回可能に配置されているので、この上当ては前当てに対して旋回可能である。
【０００３】
このドイツ連邦共和国特許出願公開第３２１５８０４号明細書に記載のものの欠点は、上当てが前当てホルダに配置されているので、前当てホルダの旋回運動により影響されてしまうということである。従って前当ての調節により上当ての調整に影響が及ぼされる。
【０００４】
【発明が解決しようとする課題】
そこで本発明の課題は、前当ての運動と上当ての運動とが互いに無関係に制御可能であるような、枚葉紙印刷機の給紙テーブル上で枚葉紙を位置調節するための装置を提供することにある。
【０００５】
【課題を解決するための手段】
この課題を解決するために本発明の構成では、上当てが、前当ての制御手段とは別個に設けられた制御手段を有していて、上当てが鉛直方向運動可能に配置されていて、上当てが前当てよりも幅広に形成されていて、該前当てが、それぞれ側方で上当てによって取り囲まれているようにした。
【０００６】
【発明の効果】
上当てと前当てとを別個に無関係に制御することにより、有利には、搬送したい枚葉紙がまだ前当てに当接している、例えば側方で位置調節されている時に、上当てが既に上昇運動を行うことができる。このことにより、重要である枚葉紙の側方位置調節のためにより多くの時間をあてることができ、上当ての運動は動力学的に良好に行われ得る。
【０００７】
リンク装置（四つ棒組みのリンク装置）に上当て軸が支承されていることにより、上当ての複雑な運動の進行を設定することができる。これにより行われる、給紙テーブルにおける上当てホルダの一定の位置における上当てのほぼ鉛直方向の昇降運動により、特に枚葉紙を保護するような上当ての昇降運動が可能となる。従って枚葉紙前縁が損傷されることはなく、枚葉紙の位置調節は妨げられない。さらに上当ての鉛直方向の昇降運動により、１．６ｍｍよりも厚い厚さの枚葉紙も問題なく処理することができる。偏心調節装置によって行われる上当ての高さ調節は、有利には前当て調節に影響することなく行うことができる。
【０００８】
給紙テーブルによって形成される平面の近傍において前当ての旋回点（前当て軸）が有利に配置されていることにより、前当ては、旋回角度が小さくても（例えば１０゜よりも小さくても）枚葉紙搬送平面の下方に下降される。従って動力学的に良好な前当て運動が可能であり、これにより作業スピードを高めることができる。
【０００９】
特に有利には、構造空間を節約した構成であって、上当ての寸法の内部に前当てが配置されている。これにより、有利には枚葉紙幅にわたって分配配置されている前当てと、この前当てにそれぞれ配属される上当てとの総数を増加させることができる。このことにより、前当てに当接する、搬送される枚葉紙の前縁は、全ての前当てから成る当接面全体によって著しく変形されることがない。これにより有利には、給紙テーブル上でのより高い枚葉紙搬送スピード若しくは保護された枚葉紙の当接が得られる。
【００１０】
【発明の実施の形態】
次に図面につき本発明の実施の形態を詳しく説明する。
【００１１】
枚葉紙印刷機の給紙テーブル２上の枚葉紙１の前縁を位置調節するために、ストッパ４を備えた少なくとも１つの前当て３と上当て６とが設けられている。ストッパ４は枚葉紙搬送方向に、若しくは反枚葉紙搬送方向に調節可能であって、このストッパ４自体が調節手段である。前当て３は、旋回可能にサイドフレーム５に支承された、この枚葉紙印刷機の作業サイクルで作業する前当て軸７に固定されている。この前当て軸７は給紙テーブル２のすぐ下方に配置されているので、前当て軸７の旋回角度が僅かな場合でも（例えば１０゜よりも小さい場合でも）、前当てのストッパ４は、給紙テーブル２によって形成される平面の下方に下降することができる。有利には、互いに隣接して一列に、所定の数のストッパ４が互いに間隔をおいて配置されている。上当て６は上当てホルダ８の端部に配置されていて、この上当てホルダ８は上当て軸９に固定されている。この上当て軸９は、対称的に配置された２つのローラレバー１１（そのうちの一方のみを図示する）の端部に旋回可能に支承されている。このローラレバー１１の、上当て軸９とは反対側の端部には、各１つの制御ローラ１２が保持されている。この制御ローラ１２は各１つのカムディスク１３と転がり接触している。
【００１２】
ローラレバー１１は、偏心調節装置１４によってサイドフレーム５に対して旋回可能に支承されている。
【００１３】
上当て軸９にはレバー１５が固定されている。このレバー１５の端部には、連結装置１６の第１の端部が枢着されている。連結装置１６の第２の端部はローラレバー１７に枢着結合されている。ローラレバー１７は、サイドフレーム５にフレームに固定的に設けられた支承個所１８を有しており、このローラレバー１７の自由端部には回転可能に支承された制御ローラ１９が保持されている。この制御ローラ１９は制御カム２１と転がり接触している。
【００１４】
上当て６及び上当てホルダ８は、前当てのストッパ４よりも幅広に形成されている。上当てホルダ８は２つの側壁２２，２３を有していて、これらの側壁２２，２３の間に各１つのストッパ４が配置されている。即ち、この前当てのストッパ４は上当て６によって取り囲まれている。
【００１５】
図１に示したような、給紙テーブル２における前当てのストッパ４及び上当て６の所定の位置において、前当て３において枚葉紙搬送方向で位置調節された枚葉紙１が加速手段（図示せず）、例えば前グリッパによって受け取られ、引き続き処理するために印刷機に引き渡される。
【００１６】
厚紙（例えば１．６ｍｍを越える紙厚さ）を処理する際に、前当てのストッパ４で位置調節された枚葉紙１の前縁が、上当て６の旋回時に損傷されないようにするために、上当て６が旋回の開始前に持ち上げられる。持ち上げ行程は、偏心調節装置１４の旋回軸２４を中心とするローラレバー１１の旋回により行われる。この旋回時には、制御ローラ１２は、カムディスク１３の制御谷部２６の領域でこのカムディスク１３と作用接触している。制御カム２１と２つのカムディスク１３とは１つの共通の駆動軸２７に相対回動不能に配置されている。
【００１７】
上当て６の持ち上げ後に、上当て６と前当て３とが同時に、それぞれ上当て軸９若しくは前当て軸７と一緒に、両者が枚葉紙搬送平面の下方で折り返し点に到達するまで旋回される。上当て６と前当て３とは、折り返し点から戻り旋回しながら、同時に給紙テーブル２の当接位置に達する。次の搬送される枚葉紙１は、前当てのストッパ４に当接し、引き続き行われる上当て６の下降により平らにされる。戻しばね２８は圧縮ばねとして形成されていて、その一方の端部は上当て軸９に係合していて、他方の端部はサイドフレーム５に係合している。同様に圧縮ばねとして形成された戻しばね２９の一方の端部はレバー１５と連結装置１６との間の接続リンクに係合していて、他方の端部はサイドフレーム５に係合している。このような手段により、制御ローラ１２とカムディスク１３との間の接触、若しくは制御ローラ１９と制御カム２１との間の接触が保証される。
【図面の簡単な説明】
【図１】上当て制御装置及び前当て制御装置を概略的に示した断面図である。
【図２】上当て及び前当てを示す斜視図である。
【符号の説明】
１  枚葉紙、  ２  給紙テーブル、  ３  前当て、  ４  ストッパ、  ５  サイドフレーム、  ６  上当て、  ７  前当て軸、  ８  上当てホルダ、  ９  上当て軸、  １１  ローラバー、  １２  制御ローラ、  １３  カムディスク、  １４  偏心調節装置、  １５  レバー、  １６  連結装置、  １７  ローラレバー、  １８  支承個所、  １９  制御ローラ、  ２１  制御カム、  ２２，２３側壁、  ２４  旋回軸、  ２６  制御谷部、  ２７  駆動軸、  ２８，２９  戻しばね
【図１】
0004054397.tif 000002
【図２】
0004054397.tif 000003